(57)【要約】【課題】部屋が停電した場合や、部屋の外に出た場合にも、カードキーを照明器具として使用できるカードキーシステムを提供する。【解決手段】部屋４の施錠・解錠を行うためのカードキー１と、部屋４内に設置されてカードキー１を着脱自在に保持するカードキーホルダー２と、を備え、カードキー１がカードキーホルダー２に保持されることで部屋４内の照明灯４２が点灯可能となるようになしたカードキーシステムにおいて、カードキー１に照明用ＬＥＤ１１を設けると共に照明用ＬＥＤ１１の電源となる蓄電部を設け、カードキーホルダー２には給電部を設け、カードキー１がカードキーホルダー２に保持されることで給電部から蓄電部への給電が開始されるようになした。【選択図】図１
2007120066.tif 000002
【特許請求の範囲】
【請求項１】
部屋の施錠・解錠を行うためのカードキーと、部屋内に設置されてカードキーを着脱自在に保持するカードキーホルダーと、を備え、カードキーがカードキーホルダーに保持されることで部屋内の照明灯が点灯可能となるようになしたカードキーシステムにおいて、カードキーに照明用ＬＥＤを設けると共に照明用ＬＥＤの電源となる蓄電部を設け、カードキーホルダーには給電部を設け、カードキーがカードキーホルダーに保持されることで給電部から蓄電部への給電が開始されるようになしたことを特徴とするカードキーシステム。
【請求項２】
照明用ＬＥＤはカードキーに埋設されていることを特徴とする請求項１記載のカードキーシステム。
【請求項３】
カードキーがカードキーホルダーに保持された状態で、照明用ＬＥＤは部屋内を照らすことが可能な位置に設けられていることを特徴とする請求項１または２記載のカードキーシステム。
【請求項４】
部屋の停電を検知する停電検知部を備え、この停電検知部の検知によりカードキーホルダーに保持された状態のカードキーに設けた照明用ＬＥＤが点灯するようになしたことを特徴とする請求項３記載のカードキーシステム。
【発明の詳細な説明】
【技術分野】
【０００１】
本願発明は、部屋の施錠・解錠を行うためのカードキー及びそれを保持するカードキーホルダーを備えたカードキーシステムに関するものである。
【背景技術】
【０００２】
従来から、特開平７−２９３０７３号公報に示される如く、部屋の施錠・解錠を行うためのカードキーと、部屋内に設置されてカードキーを着脱自在に保持するカードキーホルダーとを備えたカードキーシステムは知られている。この種のカードキーシステムでは、同公報でも説明されるように、カードキーをカードキーホルダーに保持させることで、部屋内の照明を点灯可能とするものであった。図３に示す如く、カードキーホルダー２は電源５から給電されており、部屋４の出入口に設けられた扉４１を施錠・解錠するカードキー１を、部屋４内に設置されたカードキーホルダー２に保持させることにより、照明灯４２の点灯が可能となされている。
【特許文献１】特開平７−２９３０７３号公報
【発明の開示】
【発明が解決しようとする課題】
【０００３】
ところで、カードキーは、部屋の外に出る場合には常に携帯される。そこで、カードキーが照明器具の機能を有するようになせば、携帯性が良く、外出時に常に用いることが可能な照明器具を提供することが可能になる。又、カードキーは、部屋の中においてはカードキーホルダーに保持されることから、カードキーがカードキーホルダーに保持された状態で充電されるようになせば、電池切れの心配がなく、さらに充電忘れの心配もない携帯型の照明器具を提供可能である。更に、カードキーがカードホルダーに保持された状態で部屋を照らすことが可能であれば、カードキーを部屋の照明器具として利用可能になる。加えて、カードキーが停電時に自動点灯するようになせば、カードキーを停電時における部屋の照明器具として活用できる。
【０００４】
本願発明は、上記のような点に鑑みて発明されたものであり、その課題は、部屋が停電した場合や、部屋の外に出た場合にも、カードキーを照明器具として使用できるカードキーシステムを提供することである。
【課題を解決するための手段】
【０００５】
上記課題を解決するために、本願発明は、部屋の施錠・解錠を行うためのカードキーと、部屋内に設置されてカードキーを着脱自在に保持するカードキーホルダーと、を備え、カードキーがカードキーホルダーに保持されることで部屋内の照明灯が点灯可能となるようになしたカードキーシステムにおいて、カードキーに照明用ＬＥＤを設けると共に照明用ＬＥＤの電源となる蓄電部を設け、カードキーホルダーには給電部を設け、カードキーがカードキーホルダーに保持されることで給電部から蓄電部への給電が開始されるようになしたものである。
【０００６】
又、照明用ＬＥＤはカードキーに埋設されている。又、カードキーがカードキーホルダーに保持された状態で、照明用ＬＥＤは部屋内を照らすことが可能な位置に設けられている。又、部屋の停電を検知する停電検知部を備え、この停電検知部の検知によりカードキーホルダーに保持された状態のカードキーに設けた照明用ＬＥＤが点灯するようになしている。
【発明の効果】
【０００７】
本願発明のカードキーシステムにおいては、カードキーに照明用ＬＥＤと蓄電部とを設けることにより、このカードキーを携帯性に優れた照明器具として用いることができる。また、カードキーは部屋を出る際に携帯する必然性があるため、結果として、部屋の中のみならず、部屋の外においても携帯用の照明器具として、便利に用いることができる。さらに、カードキーがカードキーホルダーに保持されることで部屋内の照明灯が点灯可能となるようになしたカードキーシステムにおいて、カードキーがカードキーホルダーに保持されることで給電部から蓄電部への給電が開始されるようになしたことから、部屋に入った際にカードキーをカードキーホルダーに保持させる必然性があるため、カードキーへの充電を忘れることがない。また蓄電部への給電により、電池交換の必要がない携帯型の照明器具としてカードキーを用いることができる。
【０００８】
更に、カードキーホルダーには電力が供給されているため、カードキーのために新たな充電器や、充電器のための電気工事、さらに充電器を取り付ける部屋内の場所確保等が不要となり、カードキーホルダーが備えられているホテル等であれば、このカードキーシステムを用いることによって美観を損ねることもない。
【０００９】
又、照明用ＬＥＤがカードキーに埋設されていると、より携帯性に優れたカードキーを提供することができる。
【００１０】
又、カードキーがカードキーホルダーに保持された状態で、照明用ＬＥＤは部屋内を照らすことが可能であるから、カードキーを部屋の照明器具として使用可能である。
【００１１】
又、停電検知部の検知によりカードキーホルダーに保持された状態のカードキーに設けた照明用ＬＥＤが点灯するようになしたことから、部屋が停電した場合においても、カードキーホルダーに保持しているカードキーを照明器具として用いることができる。
【発明を実施するための最良の形態】
【００１２】
図１、２は、本願の請求項１〜４全てに対応した一実施形態であるカードキーシステムを示している。この実施形態では、部屋４の施錠・解錠を行うためのカードキー１と、部屋４内に設置されてカードキー１を着脱自在に保持するカードキーホルダー２と、を備え、カードキー１がカードキーホルダー２に保持されることで部屋４内の照明灯４２が点灯可能となるようになしたカードキーシステムにおいて、カードキー１に照明用ＬＥＤ１１を設けると共に照明用ＬＥＤ１１の電源となる蓄電部１５を設け、カードキーホルダー２には給電部２１を設け、カードキー１がカードキーホルダー２に保持されることで給電部２１から蓄電部１５への給電が開始されるようになしている。
【００１３】
又、照明用ＬＥＤ１１はカードキー１に埋設されている。又、カードキー１がカードキーホルダー２に保持された状態で、照明用ＬＥＤ１１は部屋４内を照らすことが可能な位置に設けられている。又、部屋４の停電を検知する停電検知部１２を備え、この停電検知部１２の検知によりカードキーホルダー２に保持された状態のカードキー１に設けた照明用ＬＥＤ１１が点灯するようになしている。
【００１４】
以下、この実施形態のカードキーシステムを、より具体的詳細に説明する。図１に示すように、このカードキーシステムは、ホテル等の部屋４において用いられるものである。部屋４の出入口には扉４１が設けられており、カードキー１によって施錠・解錠される。部屋４の出入口近傍の壁面に、カードキーホルダー２が取り付けられている。カードキーホルダー２は上方から長手方向に挿入されたカードキー１を、保持部２２によって保持するようになっている。カードキー１はカードキーホルダー２に完全には収まらず、上部が外部に露出していて、上部からカードキー１を把持しやすくなっている。
【００１５】
カードキー１は長方形のカード形状であり、長手方向の一方の端部中央には照明用ＬＥＤ１１が埋設されているため、携帯可能な照明器具として使用できる。この照明用ＬＥＤ１１は、カードキー１の両側を照らすことが可能である。またカードキー１の一方の表面には、図２に示すスイッチ１３を制御可能な押しボタンが設けられており、この押しボタンによって照明用ＬＥＤ１１のＯＮ／ＯＦＦ状態を制御することが可能となっている。また、カードキー１の長手方向の両端部には電極を有する。
【００１６】
カードキーホルダー２の保持部２２には中央上下方向にスリット２３が設けられている。スリット２３からは、保持したカードキー１が正面から視認可能であり、またスリット２３の幅は照明用ＬＥＤ１１の幅よりも大きくなされている。これにより、照明用ＬＥＤ１１がカードキー１上部にあるように挿入された場合には、照明用ＬＥＤ１１は上部の露出した部分から部屋４を照らし、また照明用ＬＥＤ１１がカードキー１下部にあるように挿入された場合には、照明用ＬＥＤ１１はスリット２３から部屋４を照らす。つまり、照明用ＬＥＤ１１は、カードキー１がカードキーホルダー２に保持された状態において、部屋４内を照らすことが可能となっている。また、カードキーホルダー２のカードキー１が挿入され保持される空間の下部奥端には電極を有しているため、カードキー１を保持した状態で、カードキー１の電極との間で通電可能となっている。
【００１７】
部屋４内部の照明灯４２は、電源５からカードキーホルダー２を経由して給電されている。カードキーホルダー２は照明灯４２の主幹スイッチとなっており、カードキーホルダー２はカードキー１を保持したことにより主幹スイッチをＯＮにして、照明灯４２を点灯可能としている。この仕組みにより、部屋４の照明灯４２を使用する者は、カードキー１をカードキーホルダー２に挿入して保持させ、主幹スイッチをＯＮとする必要がある。
【００１８】
カードキー１をカードキーホルダー２に保持させた状態の回路構成を図２に示す。カードキー１は表面から視認可能な照明用ＬＥＤ１１、押しボタンの他、スイッチ１３、照明用ＬＥＤ１１の電源となる蓄電部１５、停電を検知する停電検知部１２、照明用ＬＥＤ１１を制御する照明制御回路１４、過充電防止回路を含む充電制御回路１６を有している。スイッチ１３は前述の押しボタンによって制御されるが、その他に停電検知部１２からの制御信号によっても制御される。
【００１９】
カードキーホルダー２は給電部２１を有しており、電源５から給電されている。給電部２１には電源５から供給される交流電源を直流電源に変換する電源回路を有している。
【００２０】
カードキー１をカードキーホルダー２に保持させることにより、カードキー１の長手方向端部に備えた電極とカードキーホルダー２に備えた電極とが接触して通電するため、給電部２１から蓄電部１５へ給電が開始される。これと同時に、停電検知部１２は、常に給電部２１からの給電状態を監視しており、停電である給電停止を検知した場合はスイッチ１３に制御信号を送信して照明用ＬＥＤ１１を点灯させる。このとき、照明用ＬＥＤ１１は部屋４を照らす。
【００２１】
カードキー１をカードキーホルダー２から取り離した際には、給電部２１からの給電停止を検知した停電検知部１２の働きにより、押しボタン式を押下することなく照明用ＬＥＤ１１を点灯させ、部屋４を照らすことが可能である。照明用ＬＥＤ１１は蓄電部１５からの給電によって点灯するが、カードキー１がカードキーホルダー２に保持された状態においては、給電部２１からの給電によっても点灯が可能である。
【００２２】
本実施形態のカードキーシステムにおいては、カードキー１に照明用ＬＥＤ１１と蓄電部１５とを設けることにより、このカードキー１を携帯性に優れた照明器具として用いることができる。また、カードキー１は部屋４を出る際に携帯する必然性があるため、結果として、部屋４の中のみならず、部屋４の外においても携帯用の照明器具として、便利に用いることができる。さらに、カードキー１がカードキーホルダー２に保持されることで部屋４内の照明灯４２が点灯可能となるようになしたカードキーシステムにおいて、カードキー１がカードキーホルダー２に保持されることで給電部２１から蓄電部１５への給電が開始されるようになしたことから、部屋４に入った際にカードキー１をカードキーホルダー２に保持させる必然性があることにより、充電を忘れることがない。また給電部２１から蓄電部１５への給電により、電池交換の必要がない携帯型の照明器具としてカードキー１を用いることができる。
【００２３】
更に、カードキーホルダー２には電源５からの電力が供給されているため、カードキー１の充電器設置のための電気工事が不要となる。また、カードキーホルダー２が備えられているホテル等であれば、充電器を取り付ける部屋４内の新たな場所確保が不要であり、また新たに充電器を備えることにより美観を損ねることもない。
【００２４】
又、照明用ＬＥＤ１１がカードキー１に埋設されていると、より携帯性に優れたカードキー１を提供することができる。
【００２５】
又、カードキー１がカードキーホルダー２に保持された状態で、照明用ＬＥＤ１１は部屋４内を照らすことが可能であるから、カードキー１を部屋４の照明器具として使用可能である。
【００２６】
又、停電検知部１２の検知によりカードキーホルダー２に保持された状態のカードキー１に設けた照明用ＬＥＤ１１が点灯するようになしたことから、部屋４が停電した場合においても、部屋４の使用者に照明を提供することが可能である。本実施形態においては、特にカードホルダー２は部屋４の出入口近傍に設けられているため、照明用ＬＥＤ１１の点灯により停電時において出入口の場所を示すことが可能となる。
【００２７】
なお、本願発明は上記実施形態に限定されない。例えば、上記機能に加えて、停電検知部１２が給電開始を検知することにより照明用ＬＥＤ１１を消灯する機能を有すれば、カードキー１をカードキーホルダー２に保持させた時に照明用ＬＥＤ１１が消灯されるので、部屋４に入ってカードキー１をカードキーホルダー２に保持させると、押しボタンを押下しなくても、照明用ＬＥＤ１１が消灯されるため便利である。
【図面の簡単な説明】
【００２８】
【図１】本願発明の一実施形態であるカードキーシステムを示す構成図。
【図２】同カードキーシステムにおけるカードキー及びカードキーホルダーの回路構成を示すブロック図。
【図３】従来例であるカードキーシステムの回路構成を示すブロック図。
【符号の説明】
【００２９】
１  カードキー
11  照明用ＬＥＤ
12  停電検知部
15  蓄電部
２  カードキーホルダー
21  給電部
４  部屋
42  照明灯
【図１】
2007120066.tif 000003
【図２】
2007120066.tif 000004
【図３】
2007120066.tif 000005